(57)【要約】      （修正有）【課題】射撃の着弾エネルギーによって後方に倒れた標的が、外部導入された気体圧力によって起き上がり、再度の照準と射撃に備えられる標的の構造を提供する。【解決手段】標的本体、気体圧力で駆動するピストン内包シリンダー、シリンダー軸、台座及び台座スロープを有し、ピストン内包シリンダーはシリンダー軸を介し台座に連結し、標的本体は別の水平軸を介し、台座に起倒可能に連結されている。弾丸の着弾エネルギーによって後方に倒された標的を、遠隔操作によって導入した気体圧力でシリンダーとピストンを作動させて再び起き上がらせ、射線上に立ち入ることなく安全に射撃を再開出来る。【選択図】図５
0003211704.tif 000002
【実用新案登録請求の範囲】
【請求項１】
ガス、空気等の気体圧力で作動するピストンとシリンダーを利用して、遠隔操作により起き上がる標的の機構。
【請求項２】
起き上がった状態後に、再び、射撃の着弾により標的が倒れるためのピストンとシリンダーとの圧力解放の機構。
【請求項３】
シリンダーとピストンを使用したアーム機構でシリンダーとピストンの何れか一方をアームや台座に固定せずに作用位置を変化させ、梃による駆動力を角度に応じて効率よく使用する方法。
【考案の詳細な説明】
【技術分野】
【０００１】      本考案は主にエアソフトガンのような玩具銃の標的を遠隔操作で起き上がらせる為の機構である。
【背景技術】
【０００２】      従来の玩具銃の標的は大きく分けて、弾痕位置の測定によって採点する紙製や電子表示式のものと、個体標的を撃ち倒し、または撃ち落とすことによって命中、失中を採点するものである。前者は精密な評価を行えるが物理的反応による面白みが少なく、後者はその逆の性質を持っている。
【先行技術文献】
【特許文献】
【特許文献】不明
【０００３】
【特許文献１】
【特許文献２】
【非特許文献】
【非特許文献】不明
【０００４】
【非特許文献１】
【考案の概要】
【考案が解決しようとする課題】
【０００５】この考案は個体標的に関するもので、射撃後、命中によって倒された標的を射座からの遠隔操作によって起こし、元の状態に復帰させる為のものである。
【課題を解決するための手段】
【０００６】着弾によって、容易に破壊や変形の起きない丈夫な素材で出来た可倒式の標的本体と、それを支え、位置を固定するための台座部と、台座部から標的を起こすためのガスユニット部から構成される。ガスユニットはピストンを射出するシリンダーとその為のガス導入部から成る。ガス導入部は遠隔操作の為の射座エアスイッチまでホースで連結されている。
【考案の効果】
【０００７】命中射撃の弾丸エネルギーによって台座部に倒された標的は、射座エアスイッチの操作によって、ガスまたは空気の圧力がホースを通じて台座部に収納されたガスユニットに伝わる。その圧力はガスユニットのシリンダー内からピストンを前方に射出し、標的を裏側から押し起こす。標的が元の状態の直立状態まで起こされるとピストンはそれ以上の前進が不可能となり、射出が終了する。その後エアスイッチの操作を終えればシリンダー内の圧力はシリンダー外に放出され、再度の着弾により標的は倒れる事が可能となる。この遠隔操作による標的復帰システムは、射手や係員が射線上内に立ち入ることなく安全に素早く射撃を再開出来る。また、遠方の標的が撃ち倒され、その後また立ち上がる様は視覚的にも面白く、複数設置の場合はより圧巻で有り、射撃により楽しみを与える事が出来る。
【図面の簡単な説明】
【０００８】
【図１】本考案の標的が起きた状態の正面図である。
【図２】本考案の標的が起きた状態の側面図である。
【図３】本考案の標的が着弾によって倒れようとしている状態の側面図である。
【図４】本考案の標的が着弾によって倒された状態の側面図である。
【図５】本考案の標的がエアスイッチの操作により、ガスまたは空気等の圧力で再び起き上がろうとしている状態の側面図である。
【図６】本考案の標的が起き上がった後、残圧を排気して次の着弾による可倒状態となった側面図である。
【考案を実施するための形態】
【０００９】本考案は下部に水平軸を設け、それを支点として前後に起倒可能となる標的本体と、水平軸によって連結されるとともに、倒された標的をガスまたは空気等の気体圧力で押し起こすためのピストンとシリンダーを備えた台座から構成される。
【実施例】
【００１０】以下、添付図面によって説明する。１は標的本体であり、１ａの標的軸穴と２の台座の軸穴２ａは３の水平軸によって連結されている。その水平軸を支点として標的１は直立状態から台座上に着弾によって倒されることが可能である。４はシリンダーであり、内部に５のピストンを内蔵している。４ｃのガス導入口は、６のホースを通じて外部からエアスイッチの操作によってガスまたは空気圧を導入される。エアスイッチ自体は図示しない。導入された圧力は逃げ場を求めてピストン５を前進させる。ピストン先端５ｂは前進を開始し、その後、台座スロープ２ｂに至ってからはスロープに従い、上方に角度を変え、倒れている標的の背面１ｂを上方に押し上げる。この時、シリンダー軸４ｄによってシリンダーとピストンは上方に方向を変えることが可能となっている。シリンダー軸４ｄは台座軸穴２ｄと連結されている。ピストン先端５ｂは標的１を完全直立状態まで押し上げた後、それ以上の前進を止める。この後、エアスイッチの操作により新たな圧力導入を止めれば、シリンダー内の残圧はシリンダー排気口４ｅより放出され、同時にピストン先端５ｂはシリンダー４とともに自重により台座スロープ２ｂまで降下する。その為、標的１は後方のピストンの抵抗も減少し、再び着弾による可倒状態に復帰する。以後、命中の都度、このサイクルを繰り返すことが可能となった。
【産業上の利用可能性】
【００１１】エアソフトガン等の玩具銃以外、素材の変更により実銃の可倒復帰式標的としても使用できる。また、ピストン、シリンダーユニットが作業アーム（この場合は標的を指す）と固定連結させていないため、開閉の双方へのエネルギー供給を必要とせず一方向への強制作動装置として応用出来る。
【符号の説明】
【００１２】１  標的本体
１ａ  標的軸穴
１ｂ  標的背面
２  台座
２ａ  台座軸穴
２ｂ  台座スロープ
３  水平軸
４  シリンダー
４ｃ  ガス導入口
４ｄ  シリンダー軸
４ｅ  排気口
５  ピストン
５ｂ  ピストン先端
６  ホース
【図１】
0003211704.tif 000003
【図２】
0003211704.tif 000004
【図３】
0003211704.tif 000005
【図４】
0003211704.tif 000006
【図５】
0003211704.tif 000007
【図６】
0003211704.tif 000008
【手続補正書】
【提出日】平成29年1月25日(2017.1.25)
【手続補正１】
【補正対象書類名】実用新案登録請求の範囲
【補正対象項目名】全文
【補正方法】変更
【補正の内容】
【実用新案登録請求の範囲】
【請求項１】
ガスや空気等の気体圧力で駆動するピストン内包シリンダーを仰角変化に対応するための水平軸によって連結装備した台座上に別の下部水平軸によって起倒可能に連結された標的の構造。
【請求項２】
起き上がった状態後に再び射撃の着弾により倒れることを可能とするためにピストン前進最終位置に現れる残圧解放口を設けたシリンダーと残圧解放後に自重により取り付け水平軸を中心に先端部を回転降下させて着弾時の抵抗力を減少させるようにしたピストンの構造。
【手続補正書】
【提出日】平成29年5月15日(2017.5.15)
【手続補正１】
【補正対象書類名】実用新案登録請求の範囲
【補正対象項目名】全文
【補正方法】変更
【補正の内容】
【実用新案登録請求の範囲】
【請求項１】
標的であって、標的本体、気体圧力で駆動するピストン内包シリンダー、シリンダー軸、台座及び台座スロープを有し、前記ピストン内包シリンダーは前記シリンダー軸を介し前記台座に連結し、前記標的本体は別の水平軸を介し、前記台座に起倒可能に連結されている、標的。
【請求項２】
請求項１に記載の標的であって、さらにシリンダー排気口を有することにより、標的が起き上がった後にシリンダー内の残圧を解放し、ピストンが自重によって、台座スロープを伝い降下し、標的本体の着弾時の抵抗力を減して、再び射撃の着弾により倒れることを可能とする、請求項１に記載の標的。